(57)【要約】【課題】  原発の放射能廃棄物の最終処理場もないまま原発は稼動していました。【解決手段】  私が去年発表致しました、特願２０１１−２２３３９０を基礎にして、熱エネルギーと放射能をカルシュウムの分子に合体させる生物を見つけました。この結果、放射能ゴミの最終処分場にできる物を二つ示せました。一つは海ですが、放射能を浄化する生物とエルニーニョ現象との相関関係から、放射能廃棄物の許容範囲を示し、総量を越えた場合の危険性についても警告致しました。核戦争という言葉も核自滅戦争という言葉に置き換えねばならないでしょう。放射能廃棄物の最終処分場が発明されたことで、原発が有効となりましたが、海の放射能浄化の許容範囲と人類滅亡との両刃の剣を、原発と原爆は我々に突きつけています。【選択図】なし【特許請求の範囲】
【請求項１】
原子力発電所から出る放射能ゴミの最終処分場として海が有効である事と、海の放射能の浄化能力の許容範囲を求める事ができました。重力波である放射能と熱エネルギーから生物がカルシュウムの分子を合体できる事から、放射能とエルニーニョ現象との相関関係を解明致しました。そして地球上の人類が放射能に対して、極めて脆い存在である事を明らかにしました。
【請求項２】
原子力発電所から出る放射能ゴミの最終処分場の二つ目として、しじみ（貝類）の養殖場を兼ね備えた、循環プールを使った物を発明致しました。
【請求項３】
アンモナイトから船を守る為に、木材にチャンを塗った物をアンモナイトが嫌う事を利用して、木造船を発明したり、普通の船に木材の板を張りそれにチャンを塗った擬似木造船を発明致しました。またアンモナイトの侵入を防いだりする為にも、木材にチャンを塗ったものが利用出来る事の発明を致しました。
【発明の詳細な説明】
【発明への導入】
【０００１】  広島での原爆の後、いろんな異常現象が確認されています。そのうちのひとつに、巨大なハマグリの話があります。３０ｃｍぐらいのハマグリが見つかったというのです。この時は、ハマグリに手を挟まれそうになって、危険だったという事などで終わりました。
【発明の下調べ】
【０００２】  私は旅行でイスラエルに行きました。ガリラヤ湖の近くで、何ヶ月か過ごしました。近くで発掘が行われていましたので、見学にいきました。驚きました。カワニナがそこら中あたり一面びっしりと積み重なっています。２階建ての家くらいまで掘ってあるのですが隙間のないくらいびっしりとカワニナです。そのなかに二枚貝を見つけました。１０ｃｍぐらいのしじみ貝でした。カワニナの中にぽつりぽつりとあります。場所はヨルダン川のほとり、ベトゼラの近くです。ヨルダン川が蛇行して出来たものでした。ガリラヤ湖から流れ出るヨルダン川は湖の近くなので川幅は４ｍから５ｍくらいしかありません。ヨルダン川に行ってみました。川底が黒いので中に入ってみました。すると黒く見えたのは全てカワニナでした。気持ちの悪いくらいの多さです。すぐに川を出ました。
【０００３】  ガリラヤ湖に行きました。親切な人が、ガリラヤ湖は強い放射能に汚染されていると教えてくれました。さらに彼はガリラヤ湖にはアンモナイトが生きていると教えてくれました。そしてアンモナイトは魚類であると結論ずけました。硬い殻は鱗の変化したものではないかと指摘しました。そしてアンモナイトは生きている時には槍のようにとがっている。他のアンモナイトに食われた場合、化石のように丸くなると教えてくれました。またアンモナイトは非常に危険な存在であると教えてくれました。アンモナイトには敵はアンモナイト以外にはいないということとアンモナイトは長生きであるということから、巨大なアンモナイトがガリラヤ湖に存在するということでした。世界最大のアンモナイトは淡水にいるのではないかと彼は言ってました。さらにアンモナイトは非常に獰猛であると教えてくれました。アンモナイトによって命を落とす人は多いと、私に警告してくれました。またガリラヤ湖で、船がアンモナイトによって撃沈されたと教えてくれました。私が木材にチャンを塗った船はどうかと提案したら、実験が始まり、効果的であるという事になりました。
【０００４】  ある日本人が釣り好きでヨルダン川に釣りに行きました。そして帰ってきて言いました。ずたずたに裂けた上着を見せながら川には絶対入るな、槍魚がいる。あっという間にずたずたにされるぞ。そして一匹のアンモナイトを見せました。
【０００５】  ヨルダン川は非常に怖い川です。旧約聖書でモーセに率いられたイスラエルの軍隊がこの小さなヨルダン川を渡れなかった理由が始めて判りました。アンモナイトのせいです。このヨルダン川の最終到達点は死海です。海ではありません。だから昔の人が放射能の捨て場に選んだのでしょう。放射能を海に捨てた場合、巨大化したアンモナイトに船が沈み、また小型のアンモナイトに人や獣がずたずたにされるでしょう。
【０００６】  先日、テレビの放送でアメリカ合衆国のナサの近くの原子力発電所の排水設備の近くでしじみの１０ｃｍぐらいあるのがたくさんあると言ってました。味もしじみそのものだったそうです。原子力発電所の近くから取れたものだそうですが、問題はないそうです。テレビではこのしじみの宣伝をしていました。たくさん食べてくださいということでした。
【発明の原理】
【０００７】  以上三つの事例をあげてみました。平成２３年私が発表しました特許、特願２０１１−２２３３９０で放射能は重力波の一種であることは発表済みでしたが、重力波である放射能をカルシュウムに変換してくれる貝類と魚類という存在に私たちは出くわしたのです。重力波を物質に変換するのは植物だけではありませんでした。生物の中にもいたのです。
【発明の歴史的下調べ】
【０００８】  生物の研究者から聞きましたが、アンモナイトの化石の地層からはどこからでも大量の放射能が検出されるという事を彼は教えてくれました。彼はこの時代に核戦争でも起きたのだろうかと言いました。そして軽く否定しました。そしてそんなことをいったら学者の生命は終わりだと言いました。それなら何故何千年もの長い間、ガリラヤ湖から放射能が漏れ、そのおかげでヨルダン川にカワニナとしじみとアンモナイトが大量に発生したのかという疑問が湧き起こります。
【０００９】  二つの事が考えられます。一つは今はエジプト領となっている当時はエイラットと呼ばれていた町の近くにシュメール文明の遺跡が発掘されていたのです。１９７４年頃の事です。シュメール時代のデパートが発見されていました。そして一部にタイムカプセルが発見されました。タイムカプセルは二重に保護されていました。本体のタイムカプセルの周りは自然に出来た石灰岩の厚い保護層に覆われていました。ですから元のままの姿を正確に伝える事ができたのです。
【００１０】  そこにはノートパソコンとかレールを使った大型クレーン車とかの土木作業車がありました。ただ大型クレーン車の座席は小さい子供用ぐらいの大きさでお尻の背骨のところに大きな穴が開いていました。まるでお猿さんが運転しているような形の座席でした。クレーン車は当時としては見たこともないような大きな車体でした。
【００１１】  この町の特徴はアーケードにあります。今は砂岩化した、砂に埋もれていない部分だけで、高さ５ｍの鉄筋コンクリートの柱と柱を、鋼鉄製の鉄骨が１５ｍぐらいの間隔で繋がっている、つり橋を思わせるような作りの柱が、百本以上ありました。鉄の部分は錆びて鉄の黒い砂のようになっていました。
【００１２】  この町は過去に海水に覆われていた形跡がありました。そこから塩分の年代測定から２６００万年前の遺跡であることが判明致しました。町の近くから百万体以上のミイラが発見されました。平均身長が６０ｃｍぐらいある大人のミイラです。ミイラは全て食べられたような傷がついていました。遺伝子の検査から食べられたのは人間であることが判りました。
【００１３】  私も一本の柱に登ってみました。そこにあったのは、６０ｃｍぐらいのミイラが３体と６本指の手のミイラでした。その手は私の胸ぐらいの大きな手でした。たくさんの小人と少ない巨人といったところでしょうか。つまり２６００万年前のシュメール文明は現代と同じような文明であったということです。とすれば原子力ぐらい持てたということは推測できます。ただし１９７４年当時には考えも及ばない発達した文明でした。核戦争も起こりえたでしょう。
【００１４】  もうひとつは５千年前のエジプト文明です。この時代はまるで戦国時代のようでした。エジプトの科学は戦争中心に発達したものと推測されます。私はピラミッドのひとつに入りました。そのひとつに石棺が置いてありました。その石棺をいろいろ触ってみているうちに小さな石をちょっと触った拍子に石棺の後ろの壁が大きく開いてしまいました。怖かったので中には入りませんでした。小さな石を元に戻すと大きな壁は元のようになりました。よく考えられた自動ドアです。
【００１５】  エジプトの文明は、現代の人が考えるよりもはるかに優れた文明だったと思われます。現代人が考えも及ばないような科学の発達の有様であったと推定できます。エジプトの近くのサハラ砂漠からは放射能が検出されました。また当時エジプトと敵対関係にあったヒッタイトの城砦からは原爆で焼けたような痕跡が発見されています。放射能も検出されています。つまり核戦争があったと推定できます。
【００１６】  二つの文明のいずれもガリラヤ湖の近くであり、核の廃棄物を捨てる可能性がありました。親切な人から聞きましたが、ガリラヤ湖の湖底にあったのは放射能を帯びたゴミだったからです。アンモナイトの年代測定も研究者は２６００万年前と推定していました。
【００１７】  エイラットのシュメール文明とヒマラヤのアンモナイトのふたつから２６００万年前に核戦争があり、ほとんどの人類が全滅の危機に瀕したと考えられます。しかし生物は特に水の中の生物は放射能に適応して生態を替え例えば魚類は放射能を貝類と同じようにカルシュウムに変える生態へと変わっていったものと推定できます。研究者もアンモナイトの時代、２６００万年前にでかい貝の化石が存在することを言ってました。水の中の生物は放射能を重力波として食物のように取り入れてカルシュウムとしていったのです。戦争を起こした人類はほとんど死滅してしまったと推定できます。カルシュウムを取り入れることのできた貝類と魚類のアンモナイトの時代は石灰岩の時代と言えるのではないでしょうか。確かにアンモナイトの時代は石灰岩の時代と言われコンクリートの原料として使われています。
【００１８】  また研究者は２６００万年前のヒマラヤのアンモナイトの地層から、かなりの頭を銃で撃ちぬかれた人骨が出土すると教えてくれました。やはり身長は６０ｃｍぐらいだったそうです。私は考えます。ヒマラヤの頂上で貝とかアンモナイトが出土するということに少し疑問を持たない人がいるだろうかと。ヒマラヤは昔、海でそれが隆起してヒマラヤが出来たのだということで説明しようとしていますが、そんなものではないと断言できます。２６００万年前に当時の人類は核戦争を起こした。そう考えるのが一番納得がいくと思います。
【発明の歴史的下調べの結論】
【００１９】  核戦争で沙漠と化した大地は乾燥に乾燥した。世界中が放射能であふれかえり、貝類は大きくなり、魚類はアンモナイトとなり、数を異常に増やした。すると海は石灰岩で覆われ、雨は海に降り注いだ。乾燥した大地は地中から水分を放出してその水が海にあふれ大地を覆い始めた。この繰り返しで水が大地を覆い尽くしてしまった。つまり石灰岩が壷のようになり大地を覆いつくし、大地は乾燥したまま、水を失くしたまま、石灰岩の被覆で覆い尽くされてしまった。
【００２０】  この間、大地に残された人類は放射能に冒され原爆症になっていった。そう考えられます。我々日本人は原爆を体験した唯一の国民です。ですから原爆症については詳しい資料を持っています。原爆一世は性格がエゴイストです。また他人を軽蔑し自分の子をいじめぬきます。欲が深いこともわかっています。このため土地をめぐる法律上のトラブルも多発しています。しかし普通は深刻なものではなく、軽いものであることもわかっています。これに比べ二世、三世は一世とは逆におっとり型が多く、人の良いのが特徴です。人の良いのを通り越して人が良すぎるのが特徴です。そして運動が得意です。巨人の星の歌がありますが、あの性格を地で行くような人々です。三世は二世に輪をかけたような性格だといわれていますが、まだ三世は少なく資料が足りません。また原爆一世は体が熱く感じる為、全裸になりたがります。原爆二世も陰部にほてりを感じるので陰部を乾燥させたいと感じます。結局原爆二世も全裸になりたがります。
【００２１】  これらのことから推測すると地上にはエゴイストであふれかえったと思われます。だからヒマラヤの山中で見つかった銃弾を受けた多数の人々は少なくなった土地を争い死んでいったものと思われます。海に逃れた、たくさんの人々もアンモナイトの攻撃を防ぎきれなかったと推定できます。核戦争の後には生存競争の戦いが待っていたのです。それもほとんど全滅に至るほどの凄まじい戦いが行われたのです。でも何人かが生き残りました。そして地震か何かで大地にひびが入り壷が割れるようにして大地に水が吸い込まれ昔のように海と大地に分かれたと考えられます。そこに我々の先祖が降り立った。そして今の我々がある。植物は種を残し、また元の通りに増えたと推測できます。実際はここに神様の御手が働いているでしょう。貝類と魚類は放射能浄化の働きを終えると元の姿に戻っていったと考えられます。
【００２２】  大事な教訓は核戦争は次の戦争の引き金をもたらす。それも次から次へと終わりなき戦いを引き起こすということです。海の中へは入れないでしょう。あまりの放射能の強さに耐えられないでしょう。アンモナイトもいます。食料も水も足らずにまた争いが起きるでしょう。残酷な世界です。人々の心も冷え切ってしまうでしょう。今世界は核戦争のうわさで持ちきりです。起こしたくはないものです。結果があまりにも残酷です。
【発明の開示】
【００２３】  さて平和的原子力発電所の事を再び考えてみましょう。
【００２４】  最初に原子力発電所の放射能の最終処分場についてです。いろいろ考えられると思います。ひとつはイスラエルのガリラヤ湖の形態です。カワニナとしじみを利用して、湖に放射能汚染物質を沈めて流れ出る川にしじみとカワニナを放流して川をカワニナとしじみだらけにして、川をわざと蛇行させてその川の周りには果樹もしくは木を植えて、豊かな緑地帯もしくは豊かな畑を作り出すことです。
【００２５】  この畑はカルシュウムが多いので、カルシュウムの肥料をやる必要はありません。川はすぐにあふれるので、川は蛇行させるままにしておいたほうが無難です。そのかわり土地の所有権は管理組合として、畑から出る農作物を、出資もしくは労働の提供をもって分け合う、合名会社のようなものを作り、運営していったほうが良いと思います。なぜなら毎年毎年、畑が広がっていくからです。またトラクターとか機械は大型のものが必要になり、個人でやっていては対応できなくて破綻してしまいます。
【００２６】  また個人でやっていると、個人が働ける期間というのはせいぜい３５年ぐらいの長さではないでしょうか。汗水流して、機械代を払った頃には、農業を離れなければなりません。もしかしたら、農機具代はまだ残っているかもしれません。そんな時には農機具を安く叩き売らねばなりません。しかし大抵の場合、農機具はまだまだ使えますし、畑はもっと使えます。畑には毎年肥料と自分の労働をつぎ込んでいるので、計算上、出て来ない資本が埋もれています。個人では割りにあいません。合名会社形態のほうが投資した資本の回収がうまくいくと思います。平野の少ない日本にとっては有力な資源確保手段となるでしょう。但し都会の周りにとってはマイナスになるかもしれません。
【００２７】  そのほかの使い方としては、離島の面積を増やすためとかに使えると思います。とくに島が低くて波で国土が洗われるような島々は、人の住んでいないようなところに、放射能のごみを海水中に沈めて貝類を増やし土地を作りだしていくことも考えられます。この場合有用な貝類をあらかじめ養殖しておくことも必要でしょう。
【発明が解決しようとする課題】
【００２８】  ただ上記のふたつの事例の場合非常に困ったことがあります。特に海に放射能汚染物質を投下する場合、アンモナイトが非常に危険だということです。人は海岸に近寄れば、ずたずたにされてしまう。また船が沈められてしまう。これでは少々陸地が増えたとしてもまったく意味がありません。また湖の場合も、最終到達地点が海である場合、同じ理由でアンモナイトが危険な存在にかわりはありません。
【発明の展開】
【００２９】  とすれば放射能の最終処分場は次に示す、循環的な流れるプールを利用した、しじみ等の貝類の養殖形態が今のところ有力だということになります。しじみの場合個体だけの場合と、群れとしての場合とでは違います。放射能が少し検出される川で、私はタンクを使って実験してみました。しじみを群生として観察すると、温度を下げる能力があります。平均で摂氏１５度Ｃでした。これは不思議でもなんでもありません。私が去年発表した特許の特願２０１１−２２３３９０を参考にしてもらえると良く判るのですが、重力波と熱エネルギーを合体させ分子を作り出すのに２０％未満の熱エネルギーと８０％以上の重力波を必要とします。それから考えるとしじみが熱エネルギーを吸収して温度を下げるというのは当たり前の結果だと思います。カルシュウムの分子を合体させた結果の熱エネルギーの吸収であり、それが温水の冷却効果となっているのです。もちろん重力波としての放射能も消費しているはずです。
【発明を実施する為の最良の形態】
【００３０】  アメリカ合衆国のナサの近郊のしじみをみても分かるように、しじみは爆発的に殖えしかも個体が１０ｃｍぐらいにもなります。ですから、水を通すのは配管ではなくて側溝のような作りが良いと思います。養殖プールは一次排水、二次排水、三次排水等々、順次入れ替えて養殖プールを出荷前のしじみの放射能負担を減らすような工夫が必要だと思います。あとしじみに必要な養分ももちろん供給してください。カルシュウムは必要ないでしょう。蛋白質の合成のために尿素が必要になると思います。植物も必要かもしれません。酸素も必要ですから。とすれば土も必要になるでしょう。土があるとすればプールの底をかき混ぜることは厳禁です。しじみが死んでしまうからです。
【発明が解決しようとしている課題と対策】
【００３１】  また魚が侵入しないように気を配らなければなりません。というのも魚がアンモナイトに変化してしまう可能性があるからです。木にチャンを塗ったものをアンモナイトが嫌うという性格を利用したらうまくいくのではないかと思います。またしじみの幼生は動物プランクトンです。そして、その前は卵です。これらは非常に小さいので厄介です。いろんな所に入り込んで、しかも大きくなり、配管を詰まらせたり、とんでもない所で大きく成長したりする可能性があります。原子力発電所では、これらを掃除して取り除けるように設計しておく事がとても大事になると思います。
【００３２】  もしも何かの拍子に、例えば東日本大震災の時のように福島原子力発電所で大量の放射能が放出された時のように海が放射能で大量に汚染されたときにはアンモナイトの出現が予想されます。そうなれば普通の船は使えなくなります。その時にはアンモナイトが、木にチャンを塗った物を嫌うという性質を利用して船は木造船にして、チャンを塗った船が有効に思われます。ただしデッキには立たないほうが良いでしょう。小型のアンモナイトに攻撃されないためです。また言い忘れていましたが、イスラエルのガリラヤ湖にはアンモナイトの他に普通の魚もいました。私もムツゴロウが泳いでいるのを何回も見ています。他にも魚がいました。
【発明の新たな展開】
【００３３】  ここで原爆とか原爆実験、そして原子力発電所の過酷事故とエルニーニョ現象との相関関係について考えてみたいと思いますが、その前に淡水における生物たちの放射能浄化のスピードと海水における生物たちの放射能浄化のスピードが決定的に違うという事を知ってもらいたいと思います。海水中に塩分があってそれが触媒の働きをするからでしょうか。また海水中のアンモナイトと貝類以外にも放射能を分子化する生物が多数いるせいでしょうか。その差は四千倍から一万倍ほど、海水の方が放射能浄化のスピードが早いです。これは何を意味するかといいますと、海水の温度が下がり、気候変動をもたらすということです。これにぴったり当てはまる現象があります。エルニーニョ現象です。原爆実験なり、原子力発電所の放射能漏れ事故なり起こったら、海は直ちに放射能浄化を始めます。そして翌年には、海水面が冷やされエルニーニョ現象となって現れるものと思われます。
【００３４】  これまでの、放射能漏れ事故とエルニーニョ現象の大きさの相関関係を調べて推測すると、福島原子力発電所の放射能漏れ事故の５倍程度のが、原爆投下も含めて起こるとエルニーニョ現象は、氷河時代を地球にもたらすと推測できます。その結果海水面はかなり低くなります。しかしその後、気候変動が起こります。海と陸とで対流が起こり、陸は気温が上昇して乾燥し始めます。海は常時雨が降るようになります。すると陸の氷が一気に溶け出し、海へ向かいます。この時低くなっていた海水面は、一気に元に戻り始めます。海水は全世界の海岸へ前触れもなく津波のように押し寄せます。全世界一斉に海岸近くの原子力発電所は、福島原子力発電所がそうであったように破壊されるでしょう。多くの原子力発電所から大量の放射能が漏れ出します。しかもその海水は引き返さずに、海水面は上昇を続け百年以内、多分３０年か４０年位でヒマラヤを越えるでしょう。
【００３５】  この時地球は石灰ですっぽり覆われてしまいます。そして石灰ですっぽり覆われた中身には水分がほとんどありません。しかも中身はマグマとか地熱エネルギーが充満しています。ゆで卵みたいになった地球は熱で膨張して、一気に卵の殻である石灰岩を割って、全世界各地で大きなひび割れを起こします。それまで上昇していた海水面は、地中へ吸い込まれ元の海水面の位置へ戻りますが、放射能がある限り海水は冷やされますので、気候変動は元のままです。
【００３６】  またもや海水面は上昇を続け、全地球を覆ってしまいます。そして地球の殻の破壊、海水面の低下と、何回も繰り返すことになります。放射能が減少するまで続きます。全世界は厚い石灰岩に覆われることになり元の美しい世界を取り戻すでしょう。しかし過酷な現象を生き抜ける人々がいるでしょうか。疑問です。もしいたとしたら、その人々は石灰岩で覆われた地表を発掘して古生代と名付けるでしょう。原始、地球は水で覆われていたと。昔、我々は教科書でそう習いました。
【００３７】  人類の歴史は、放射能で終わる宿命を持っているのではないでしょうか。地球のあちらこちらを見渡せば、奇妙な岩とか岩山とかがたくさんあります。まるで人が作ったのではないかと思わせるような、南米の巨大な岩の群れ。あれらは皆、高さが揃っています。ビルディングの名残ではないでしょうか。中国の重慶の辺りにもありました。あれはニューヨークのマンハッタンを思わせます。全て石灰岩で覆われれば、我々の作った建造物は、あのようになるのではないでしょうか。
【００３８】  さて、誰がボタンを押して、我々の世界を終わらせるのでしょうか。大きな原爆五個以上か、原子力発電所事故の度重なる放射能漏れか。その複合か。両方とも我々の世界は終わるのですが。
【背景技術の社員教育の問題】
【００３９】  ところで原子力発電所事故を起こす原因の多くは、原子力発電所の特異性にあると感じました。それは従業員の方々の被爆という実態です。その為に従業員の方々が原爆症となり、原爆症特有の性格に従業員の方々が振り回される事への危機感を持ちました。
【問題の解決策としての人格教育の提案】
【００４０】  原爆症であっても恐れずに生きて欲しいと思います。あなた方は社会の為に一生懸命生きているのです。たとえ自分が病気の為に、エゴイストと批判されようとも、裸になりたがりだろうとも、自分の子供達をいじめるのが楽しくても、病気への対抗手段としてマニュアルを作り、そのマニュアルに沿って生きてゆけば良いのです。病気の本質は軽いものですから、マニュアルに慣れれば、なんてことはありません。人間、誰しも、多少なりとも悪霊と闘わなくてはならないのです。それを考えると、病はその延長線上にあるだけの事です。自分の理性と判断力を、真理に照らし合わせて生きていけば良いのです。普通の人とのギャップは段々と埋まります。
【００４１】  私は国会議員に申し上げたい。何故、原爆症の方々をはくちとして扱われるのかと。彼等は、放射能の犠牲者ではありますが、能力においても優れており、自己献身的な人々でした。放射能被爆という事柄で病気になってしまったのであり、精神的なエゴイストになったとしても、多少なりとも時間が掛かるとしても、周囲の理解と本人の努力があれば、病気に打ち勝つことは、可能でありそのままで生きていけます。原爆症の方々に対する法律的差別の撤回を強く求めます。彼等の結婚と、社会的自立の手助けを援助してください。犯罪は、犯罪として裁かれなくてはなりませんが、そこにも教育的な手法が取り入れられても良いのではないかと思います。将来は原爆症二世、三世の大きな恩返しを社会は享受することになるでしょう。
【００４２】  問題は原爆症一世の働く場所です。そのままにしておけば、放射能という性格の悪魔に原子力発電所が、人類が操られてしまいます。いつ何時、大事故が起きたとしても不思議ではありません。
【００４３】  原子力発電所のマニュアルの設定と、そこで働く人々の理性と判断力を真理に照らし合わせるマニュアル作りを提案したいと思います。
【００４４】  放射能の性格の悪魔は、人類の破壊を目的として、人々に働きかけます。聞いてはなりません。自らの理性と判断力を磨くのです。そして原子力発電所自体は、ロボット化を計りロボットにも判断力を持たせるようにして、放射能の悪魔に対して、二つの対抗力を持たせ、原子力発電所と人類を守るのです。
【００４５】  それでも放射能が漏れて出たのなら、海の浄化能力に任せるしかありません。エルニーニョ現象で十年間もあれば回復すると推定できます。
【発明の効果】
【００４６】  以上、二つの放射能の最終処分場を皆様にお示しいたしました。皆様が海を選べば、船は危険にさらされます。その時にはチャンを塗った木造船か、普通の船に板を張りチャンを塗った、擬似木造船をお使いください。そして、海の放射能浄化の許容能力を超えない範囲で、放射能を処理してください。そして、くれぐれもエルニーニョ現象の起きている海域には近寄らないようにしてください。アンモナイトが危険です。
【００４７】  次は海の放射能の浄化能力と、エルニーニョ現象の引き起こす気候変動値を数式にしました。
【数１】
2012215592.tif 000002
このｐは平和値の頭文字から取りました。ｐの値は、海が放射能を浄化できる能力で、変動しながらも  ほとんど一定した数値ですが、分母であるエルニーニョ現象の海域の広さが、海の大きさを超えると、ｐの値は大きくなりますが、ブランコのように元の値へ戻ろうとします。ｐの値が大きくなれば、それだけ人類滅亡への危険信号となります。放射能の許容範囲内ではｐの値は変動しながらも  ほとんど一定の数値です。分母も測定できます。あと分子の放射能の投棄量が分かりませんが［数１］により、すぐに総量が算出できます。船の安全運航路、農業の天候予報等々に活用してください。
【００４８】  また海に投棄される放射能の量は、十年間で、福島原子力発電所の事故で海に放出された量の１／３までが、適当な海の放射能浄化能力の範囲内ではないかと思います。これは農作物を勘案した値です。十年間という数値は海の放射能浄化能力、つまりエルニーニョ現象が投棄された放射能を浄化できる期間です。十年間で海は放射能を浄化できるという事を意味します。これはあくまでも、ｐが一定値を示す、許容範囲内での事です。ｐの値が大きくなりますと、全然違ってまいります。